(57)【要約】      （修正有）【課題】高さ調整可能なリズムボードの構造を提供する。【解決手段】一つの長方形の踏み板２の長い方向の両端の底面にそれぞれ一つの足３、３’を設け、各一つの足の下半部に一つの第一定位部３１を設け、第一定位部に二つの平行する第一側板３１１を具有し、少なくとも一つの第一側板の側面に少なくとも一つの第一係止部３１３を設ける。一つの延伸足４、４’の上半部に第一定位部の一つの第二定位部４１を枢接することで、延伸足は足に相対して内側に折り畳み、或いは足と延伸足が展開して一直線を呈することで、長方形の踏み板の高さを上げる。また、第二定位部は二つの平行する第二側板４２１を具有し、二つの第二側板はそれぞれ相隣する二つの第一側板を対応し、且つ少なくとも一つの第二側板の側面に、第一係止部と対応して定位する少なくとも一つの第二係止部４４を設けることで、延伸足を異なる回転角度に定位する。【選択図】図１
0003213820.tif 000002
【実用新案登録請求の範囲】
【請求項１】
一つの長方形の踏み板を含み、該長方形の踏み板の長い方向の両端の底面にそれぞれ下向きに延伸する一つの足を設け、
該各一つの足の下半部に一つの第一定位部を設け、該第一定位部に二つの平行する第一側板を具有し、少なくとも一つの第一側板の側面に少なくとも一つの第一係止部を設け、一つの延伸足の上半部に一つの第二定位部を設け、該第二定位部は該第一定位部を枢接することで、該延伸足は該足に相対して内側に折り畳み、且つ該足と該延伸足が展開して一直線を呈する際に、該足の底面は該延伸足の頂面に位置し、該第二定位部は二つの平行する第二側板を具有し、該二つの第二側板はそれぞれ相隣する該二つの第一側板と対応し、且つ該少なくとも一つの第二側板の側面に該第一係止部と対応して定位する少なくとも一つの第二係止部を設けることを特徴とする高さ調整可能なリズムボードの構造。
【請求項２】
前記該第一定位部は二つの平行する第一側板を含み、該二つの第一側板の間に一つの収納スペースを具有することを特徴とする請求項１記載の高さ調整可能なリズムボードの構造。
【請求項３】
前記該第二定位部は該延伸足の頂面から上向きに延伸する一つの突出部を含み、該二つの平行する第二側板はそれぞれ該突出部の両サイドに形成し、且つ該突出部は該二つの第一側板の該収納スペースの中に枢接定位することを特徴とする請求項２記載の高さ調整可能なリズムボードの構造。
【請求項４】
前記対応する二つの相隣する該第一側板及び該第二側板の中の少なくとも一つは彎曲できる可とう性板であることを特徴とする請求項１記載の高さ調整可能なリズムボードの構造。
【請求項５】
前記該第二係止部は少なくとも一つの突出ブロックであり、該第一係止部は該第二係止部の少なくとも一つの穴と対応し、且つ該第一係止部は二つ設け、更に実質上垂直の角度でそれぞれ該第一側板に配置することを特徴とする請求項４記載の高さ調整可能なリズムボードの構造。
【請求項６】
前記第一係止部は少なくとも一つの突出ブロックであり、該第二係止部は該第一係止部の少なくとも一つの穴と対応し、且つ該第二係止部は二つ設け、更に実質上垂直の角度でそれぞれ該第二側板に配置することを特徴とする請求項４記載の高さ調整可能なリズムボードの構造。
【請求項７】
前記該長方形の踏み板に含まれるのは一つのボード本体、一つの第二ボード本体及び一つの接続部品であり、該二つの足はそれぞれ該第一ボード本体の一端及び該第二ボード本体の一端より下向きに延伸し、該第一ボード本体の別端と該第二ボード本体の別端は水平に相対し、該接続部品はそれぞれ該第一ボード本体と該第二ボード本体の底面に接続することを特徴とする請求項１〜請求項６のいずれか一項に記載の高さ調整可能なリズムボードの構造。
【請求項８】
前記該第一ボード本体の底面に少なくとも一つの第一長方形槽を設け、該第二ボード本体の底面に該第一長方形槽と対応連通する少なくとも一つの第二長方形槽を設け、該接続部品に少なくとも一つの長い棒を含み、該長い棒は互いに連通する該第一長方形槽と該第二長方形槽の中に対応して収納し、且つそれぞれ該第一ボード本体と該第二ボード本体の底面に螺接することを特徴とする請求項７記載の高さ調整可能なリズムボードの構造。
【考案の詳細な説明】
【技術分野】
【０００１】
本考案は一種の高さ調整可能なリズムボードの構造に関し、特にユーザーが異なる踏み板の高さをセレクトすることができ、異なる強度の運動効果に達する高さ調整可能なリズムボードの構造に関する。
【背景技術】
【０００２】
従来のアエロビックステッパー(Ａｅｒｏｂｉｃ  Ｓｔｅｐｐｅｒ)はリズムボードとも呼ばれる。主に一つの長方形の踏み板及び二つのそれぞれ踏み板の長い方向の両端の下方に固定する足によって構成する。該踏み板は二つの足の高さ及び上向きに支えることで、階段の如くに形成し、ユーザーが有酸素運動を行う際、片足で前、後ろ、左、右、上向き或いは下向きの踏む動きをすることで、脚部、腰部の運動効果に達する。
【０００３】
従来のリズムボードはプラスティック射出による一体成型構造である。体積が大きく、且つデザインが複雑であり、金型の費用も大変高い。更にその高さが固定されて調整できないため、異なる身長のユーザーにとって、有酸素運動を行う際、固定された強度を維持するのみであり、有効的に異なるユーザーの個人のニーズを満たすことができないことを鑑みて、更なる改善が必要であった。
【考案の概要】
【考案が解決しようとする課題】
【０００４】
前記公知構造の欠点を解決するため、本考案の第１の目的は、二つの延伸足をそれぞれ折り畳む、或いは二つの足の底部にまで延伸して定位するかをセレクトできることで、異なる踏み板の高さを調整できるリズムボードを形成し、異なるユーザーの個人のニーズに対応し、適切なトレーニング効果に達する高さ調整可能なリズムボードの構造を提供することにある。
【０００５】
本考案の第２の目的は一つの第一ボード本体、一つの第二ボード本体及び一つの接続部品で構成する一つの長方形の踏み板の構造を介し、有効的に各部品の体積を縮小してデザインをシンプル化し、有効的に金型の製造コストを下げる高さ調整可能なリズムボードの構造を提供することにある。
【課題を解決するための手段】
【０００６】
上述の目的を解決するために、本考案は高さ調整可能なリズムボードの構造を提供するものである。一つの長方形の踏み板を含み、長方形の踏み板の長い方向の両端の底面にそれぞれ下向きに延伸する一つの足を設け、その主な技術特徴とは：各一つの足の下半部に一つの第一定位部を設け、第一定位部に二つの平行する第一側板を具有し、少なくとも一つの第一側板の側面に少なくとも一つの第一係止部を設け、一つの延伸足の上半部に一つの第二定位部を設ける。第二定位部は第一定位部を枢接することで、延伸足は足に相対して内側に折り畳み、且つ足と延伸足が展開して一直線を呈する際に、足の底面は延伸足の頂面に位置する。第二定位部は二つの平行する第二側板を具有し、二つの第二側板はそれぞれ相隣する二つの第一側板を対応し、且つ少なくとも一つの第二側板の側面に、第一係止部と対応して定位する少なくとも一つの第二係止部を設ける。
【０００７】
実施する際、該第一定位部は二つの平行する第一側板を含み、該二つの第一側板の間に一つの収納スペースを具有する。
【０００８】
実施する際、該第二定位部は延伸足の頂面から上向きに延伸する一つの突出部を含み、二つの平行する第二側板はそれぞれ突出部の両サイドに形成し、且つ突出部は二つの第一側板の収納スペースの中に枢接定位する。
【０００９】
実施する際、対応する二つの相隣する第一側板及び第二側板の中の少なくとも一つは彎曲できる可とう性板である。
【００１０】
実施する際、該第二係止部は少なくとも一つの突出ブロックであり、該第一係止部は第二係止部の少なくとも一つの穴と対応し、且つ第一係止部は二つ設け、更に実質上垂直の角度でそれぞれ第一側板に配置する。該第一係止部もまた少なくとも一つの突出ブロックであり、第二係止部は第一係止部の少なくとも一つの穴と対応し、且つ第二係止部は二つ設け、更に実質上垂直の角度でそれぞれ第二側板に配置する。
【００１１】
実施する際、該長方形の踏み板に含まれるのは一つのボード本体、一つの第二ボード本体及び一つの接続部品であり、二つの足はそれぞれ第一ボード本体の一端及び第二ボード本体の一端より下向きに延伸し、第一ボード本体の別端と第二ボード本体の別端は水平に相対し、接続部品はそれぞれ第一ボード本体と第二ボード本体の底面に接続する。
【００１２】
実施する際、前記第一ボード本体の底面に少なくとも一つの第一長方形槽を設け、第二ボード本体の底面に第一長方形槽と対応連通する少なくとも一つの第二長方形槽を設け、該接続部品に少なくとも一つの長い棒を含み、長い棒は互いに連通する第一長方形槽と第二長方形槽の中に対応して収納し、且つそれぞれ第一ボード本体と第二ボード本体の底面に螺接する。
【考案の効果】
【００１３】
本考案の構造により、異なる踏み板の高さを調整できるリズムボードを形成し、個人のニーズに対応して適切なトレーニング効果に達する。また、有効的に各部品の体積を縮小してデザインをシンプル化し、有効的に金型の製造コストを下げる。
【図面の簡単な説明】
【００１４】
【図１】本考案の最良実施例の一部部品の分解図である。
【図２】本考案の最良実施例の立体外観図である。
【図３】本考案の二つの延伸足を折り畳む際の使用状態図である。
【図４】本考案の二つの延伸足を展開した際の使用状態図である。
【考案を実施するための形態】
【００１５】
以下、本考案の構造と特徴および効果を、最良実施例と図面を参照しながら詳細に説明する。
【実施例】
【００１６】
本考案の高さ調整可能なリズムボードに含まれるのは一つの長方形の踏み板であり、長方形の踏み板の長い方向の両端の底面にそれぞれ一つの足を設け、各一つの足の下半部に一つの第一定位部を設け、第一定位部の少なくとも一つの第一側板の側面に少なくとも一つの第一係止部を設ける。一つの延伸足の上半部に一つの第二定位部を設け、第二定位部に第一定位部を枢接し、且つ第二定位部の二つの第二側板はそれぞれ相隣する二つの第一側板に対応し、少なくとも一つの第二側板の側面に第一係止部に対応して定位する少なくとも一つの第二係止部を設け、これにより延伸足が足に相対して内側に折り畳む、或いは足と延伸足が一直線を呈して展開する際に、延伸足を異なる回転角度に定位する。
【００１７】
図１及び図２に示すのは、本考案の高さ調整可能なリズムボード１の最良実施例である。それに含まれるのは一つの長方形の踏み板２、二つの足３、３’及び二つの延伸足４、４’である。
【００１８】
該長方形の踏み板２に含まれるのは一つの長方形の第一ボード本体２１、一つの長方形の第二ボード本体２２及び一つの接続部品２３である。その中、第一ボード本体２１の長い方向の一端と第二ボード本体２２の長い方向の一端は水平に相対する。二つの足３、３’はそれぞれ第一ボード本体２１の長い方向の別端及び第二ボード本体２２の長い方向の別端から下向きに延伸する。第一ボード本体２１の長い方向の底面に平行する二つの第一長方形槽２１１を設け、第二ボード本体２２の長い方向の底面に平行する二つの第二長方形槽２２１を設ける。且つ二つの第一長方形槽２２１はそれぞれ二つの第二長方形槽２２１と対応して連通し、二つの長い棒２３１はそれぞれ二組の互いに連通する第一長方形槽２１１と第二長方形槽２２１の中に収納し、且つそれぞれ複数個のボルト２３１を以って上向きに第一ボード本体２１と第二ボード本体２２の底面に螺接する。該二本の長い棒２３１は合わせて一つの接続部品２３になる。実施する際、上述の互いに連通する第一長方形槽２１１と第二長方形槽２２１は一組或いは二組以上設けることができ、且つ対応する数の長い棒２３１を合わせる。
【００１９】
該二つの延伸足４、４’はそれぞれ二つの足３、３’の底部と枢接し、二つの延伸足４、４’と二つの足３、３’はそれぞれプラスティック射出によって成型するものである。以下に一つの足３と一つの延伸足４の組合せを例に説明を行う。その中、足３の下半部に一つの第一定位部３１を設け、第一定位部３１は平行且つそれぞれ彎曲できる可とう性のある二つの第一側板３１１を具有する。二つの第一側板３１１の間に一つの収納スペース３１２を形成し、如何なる一つの第一側板３１１の側面に二つの第一係止部３１３、３１４を設け、如何なる一つの第一係止部３１３、３１４は二つの穴であり、且つ二つの第一係止部３１３、３１４は実質上垂直な角度で如何なる一つの第一側板３１１の上に配置する。延伸足４の上半部に一つの第二定位部４１を設け、第二定位部４１に一つの突出部４２を具有し、突出部４２は延伸足４の頂上面から上向きに延伸して形成する。突出部４２の両サイドはそれぞれ彎曲できる可とう性のある第二側板４２１を具有し、二つの第二側板４２１は互いに平行する。突出部４２は一つの枢軸４３を持って二つの第一側板３１１の収納スペース３１２に枢接して定位した後、二つの第二側板４２１はそれぞれ相隣する二つの第一側板３１１と対応する。実施する際、上述の如何なる一組の、対応する二つの相隣する第一側板３１１と第二側板４２１の組合せにおいて、一つの側板のみ彎曲できる可とう性の板にすることもできる。また、如何なる一つの第二側板４２１の側面に一つの第二係止部４４を設け、第二係止部４４は二つの突出ブロックであり、如何なる一つの第一係止部３１３、３１４の二つの穴内に対応して定位するためのものである。
【００２０】
図３に示すように、それぞれ二つの延伸足４、４’を回転することで、二つの延伸足４、４’はそれぞれ二つの足３、３’に相対して内側に折り畳む際、如何なる一組の延伸足４、４’の第二係止部４４を通じて、足３、３’の一つの第一係止部３１４と対応して接続することで、二つの延伸足４、４’を横たわらせ、且つ第一ボード本体２１と第二ボード本体２２の底面に定位し、二つの足３、３’が形成する支えを通じて、長方形の踏み板２は一つの固定した高さを具有する。
【００２１】
図４に示すように、ユーザーがそれぞれ外向きに二つの延伸足４、４’を回転する際、如何なる一組の、対応する二つの相隣する第一側板３１１と第二側板４２１の組合せにおいて、少なくとも一つの側板のみ彎曲できる可とう性の板にする。よって、第二側板４２１の第二係止部４４が第一側板３１１の板面の上で移動させることができ、それにより如何なる一組の延伸足４、４’の第二係止部４４が足３、３’の別の一つの第一係止部３１３に対応して接続することで、二つの足３、３’はそれぞれ二つの延伸足４、４’と展開して一直線を呈し、二つの足３、３’の底面がそれぞれ二つの延伸足４、４’の頂面に位置し、且つ二つの延伸足４、４’をしっかり安定して定位させることで、長方形の踏み板２の高さを引き上げる。
【００２２】
実施する際、前述の如何なる一つの第一係止部３１３、３１４もまた少なくとも一つの突出ブロックとすることができる。第二係止部４４は第一係止部３１３、３１４の少なくとも一つの穴に対応し、且つ第二係止部４４は二つ設け、更に実質上垂直の角度でそれぞれ第二側板４２１に配置する。同じく如何なる一つの延伸足４、４’が回転した後にしっかり安定して定位することができる。
【００２３】
よって、本考案は以下のメリットを具有する：
【００２４】
１、本考案は二つの足と二つの延伸足の異なる組合せを介し、ユーザーは二つの異なる高さをセレクトして運動モードを使用する。よって、異なるユーザー個人のニーズに対応することができ、適切なトレーニング効果に達する。
【００２５】
２、本考案は接続部品を以って第一ボード本体及び第二ボード本体を接続し、且つ一つの長方形踏み板に組み合わせる。よって、有効的に各部品の体積を縮小し、デザインをシンプル化することができ、有効的に金型の製造コストを下げる。
【００２６】
３、本考案の如何なる一組の、対応する二つの相隣する第一側板３１１と第二側板４２１の組合せにおいて、少なくとも一つの側板は彎曲できる可とう性の板にする。一つの側板の係止部を使って別の一つの側板を広げた後、別の側板の板面で移動することができ、それぞれ別の一つの側板の異なる係止部に定位する。よって、その構造はシンプル且つ使用が便利である。
【００２７】
上述にて掲示する内容をまとめると、本考案は確かに予期する目的に達することができ、ユーザーが異なる高さをセレクトして運動モードを使用し、異なる強度のトレーニング効果に達するだけでなく、有効的に製造コストを下げることができ、且つ構造がシンプルで便利に使用できる高さ調整可能なリズムボードである。
【符号の説明】
【００２８】
１  高さ調整可能なリズムボード
２  長方形の踏み板
２１  第一ボード本体    
２２  第二ボード本体
２１１  第一長方形槽    
２２１  第二長方形槽
２３  接続部品
２３１  長桿(長い棒)
２３２  螺栓(ボルト)    
３、３’足
３１  第一定位部    
３１１  第一側板
３１２  収納スペース    
３１３、３１４  第一係止部
４、４’延伸足
４１  第二定位部
４２  凸出部(突出部)    
４２１  第二側板
４３  枢軸
４４  第二係止部
【図１】
0003213820.tif 000003
【図２】
0003213820.tif 000004
【図３】
0003213820.tif 000005
【図４】
0003213820.tif 000006
【手続補正書】
【提出日】平成29年10月5日(2017.10.5)
【手続補正１】
【補正対象書類名】明細書
【補正対象項目名】００１１
【補正方法】変更
【補正の内容】
【００１１】
実施する際、該長方形の踏み板に含まれるのは一つの第一ボード本体、一つの第二ボード本体及び一つの接続部品であり、二つの足はそれぞれ第一ボード本体の一端及び第二ボード本体の一端より下向きに延伸し、第一ボード本体の別端と第二ボード本体の別端は水平に相対し、接続部品はそれぞれ第一ボード本体と第二ボード本体の底面に接続する。
【手続補正２】
【補正対象書類名】実用新案登録請求の範囲
【補正対象項目名】全文
【補正方法】変更
【補正の内容】
【実用新案登録請求の範囲】
【請求項１】
一つの長方形の踏み板を含み、該長方形の踏み板の長い方向の両端の底面にそれぞれ下向きに延伸する一つの足を設け、
該各一つの足の下半部に一つの第一定位部を設け、該第一定位部に二つの平行する第一側板を具有し、少なくとも一つの第一側板の側面に少なくとも一つの第一係止部を設け、一つの延伸足の上半部に一つの第二定位部を設け、該第二定位部は該第一定位部を枢接することで、該延伸足は該足に相対して内側に折り畳み、且つ該足と該延伸足が展開して一直線を呈する際に、該足の底面は該延伸足の頂面に位置し、該第二定位部は二つの平行する第二側板を具有し、該二つの第二側板はそれぞれ相隣する該二つの第一側板と対応し、且つ該少なくとも一つの第二側板の側面に該第一係止部と対応して定位する少なくとも一つの第二係止部を設けることを特徴とする高さ調整可能なリズムボードの構造。
【請求項２】
前記該第一定位部は二つの平行する第一側板を含み、該二つの第一側板の間に一つの収納スペースを具有することを特徴とする請求項１記載の高さ調整可能なリズムボードの構造。
【請求項３】
前記該第二定位部は該延伸足の頂面から上向きに延伸する一つの突出部を含み、該二つの平行する第二側板はそれぞれ該突出部の両サイドに形成し、且つ該突出部は該二つの第一側板の該収納スペースの中に枢接定位することを特徴とする請求項２記載の高さ調整可能なリズムボードの構造。
【請求項４】
前記対応する二つの相隣する該第一側板及び該第二側板の中の少なくとも一つは彎曲できる可とう性板であることを特徴とする請求項１記載の高さ調整可能なリズムボードの構造。
【請求項５】
前記該第二係止部は少なくとも一つの突出ブロックであり、該第一係止部は該第二係止部の少なくとも一つの穴と対応し、且つ該第一係止部は二つ設け、更に実質上垂直の角度でそれぞれ該第一側板に配置することを特徴とする請求項４記載の高さ調整可能なリズムボードの構造。
【請求項６】
前記第一係止部は少なくとも一つの突出ブロックであり、該第二係止部は該第一係止部の少なくとも一つの穴と対応し、且つ該第二係止部は二つ設け、更に実質上垂直の角度でそれぞれ該第二側板に配置することを特徴とする請求項４記載の高さ調整可能なリズムボードの構造。
【請求項７】
前記該長方形の踏み板に含まれるのは一つの第一ボード本体、一つの第二ボード本体及び一つの接続部品であり、該二つの足はそれぞれ該第一ボード本体の一端及び該第二ボード本体の一端より下向きに延伸し、該第一ボード本体の別端と該第二ボード本体の別端は水平に相対し、該接続部品はそれぞれ該第一ボード本体と該第二ボード本体の底面に接続することを特徴とする請求項１〜請求項６のいずれか一項に記載の高さ調整可能なリズムボードの構造。
【請求項８】
前記該第一ボード本体の底面に少なくとも一つの第一長方形槽を設け、該第二ボード本体の底面に該第一長方形槽と対応連通する少なくとも一つの第二長方形槽を設け、該接続部品に少なくとも一つの長い棒を含み、該長い棒は互いに連通する該第一長方形槽と該第二長方形槽の中に対応して収納し、且つそれぞれ該第一ボード本体と該第二ボード本体の底面に螺接することを特徴とする請求項７記載の高さ調整可能なリズムボードの構造。